(57)【要約】【解決手段】底部１と底部にヒンジ連結された側壁２、３と相対する側壁２の上端部にヒンジ連結された蓋部材４とを有する蓋付き折り畳みコンテナーにおいて、箱型に組み立てられ、且つ、蓋部材により被蓋された折り畳みコンテナーが、段積みされた状態において、上に位置する折り畳みコンテナーの水平移動が、下に位置する蓋部材に配設された移動阻止部材ｈ１、４ｎにより、その水平移動が制限されるとともに、折り畳まれ、且つ、蓋部材が載置された折り畳みコンテナーを、段積みした状態においても、上に位置する折り畳まれた折り畳みコンテナーの水平移動が、下に位置する蓋部材に配設された移動阻止部材４ｇ１、４ｇ２、４ｍにより、その水平移動が制限されるように構成したものである。【効果】箱型に組み立てられ状態においても、折り畳まれた状態においても、蓋付き折り畳みコンテナーを、安定した状態で段積みすることができる。【選択図】図２２
2004018004.tif 000002
【特許請求の範囲】
【請求項１】
底部と底部にヒンジ連結された側壁と相対する側壁の上端部にヒンジ連結された蓋部材とを有する蓋付き折り畳みコンテナーにおいて、箱型に組み立てられ、且つ、蓋部材により被蓋された折り畳みコンテナーが、段積みされた状態において、上に位置する折り畳みコンテナーの水平移動が、下に位置する蓋部材に配設された移動阻止部材により、その水平移動が制限されるとともに、折り畳まれ、且つ、蓋部材が載置された折り畳みコンテナーを、段積みした状態においても、上に位置する折り畳まれた折り畳みコンテナーの水平移動が、下に位置する蓋部材に配設された移動阻止部材により、その水平移動が制限されるように構成されていることを特徴とする蓋付き折り畳みコンテナー。
【発明の詳細な説明】
【０００１】
【発明の属する技術分野】
本発明は、底部にヒンジ連結された側壁が、底部に重なるようにように折り畳むことができるとともに、一方の相対する側壁に、蓋が配設されている蓋付き折り畳みコンテナーに関するものである。
【０００２】
【従来の技術】
従来、折り畳みコンテナー本体を構成する相対する側壁の上端部に、蓋部材を構成する半蓋をヒンジ連結した蓋付き折り畳みコンテナーが知られている（例えば、特表平８−５１０９８１号公報）が知られている。
【０００３】
【発明が解決しようとする課題】
上述した従来の蓋付き折り畳みコンテナーを、箱型に組み立てられた状態或いは折り畳まれた状態において段積みした際に、下に位置する折り畳みコンテナーの蓋部材に載置された上に位置する折り畳みコンテナーが、水平方向に移動した場合には、下に位置する折り畳みコンテナーの蓋部材には、上に位置する折り畳みコンテナーの水平方向移動を制限する阻止部材は配設されていないので、上に位置する折り畳みコンテナーが、下に位置する折り畳みコンテナーからずれて、安定した状態に段積みすることができないという問題があった。しかも、上に位置する折り畳みコンテナーが、下に位置する折り畳みコンテナーから落下するという問題もあった。
【０００４】
本発明の目的は、上述した従来の蓋付き折り畳みコンテナーが有する課題を解決することにある。
【０００５】
【課題を解決するための手段】
本発明は、上述した目的を達成するために、底部と底部にヒンジ連結された側壁と相対する側壁の上端部にヒンジ連結された蓋部材とを有する蓋付き折り畳みコンテナーにおいて、箱型に組み立てられ、且つ、蓋部材により被蓋された折り畳みコンテナーが、段積みされた状態において、上に位置する折り畳みコンテナーの水平移動が、下に位置する蓋部材に配設された移動阻止部材により、その水平移動が制限されるとともに、折り畳まれ、且つ、蓋部材が載置された折り畳みコンテナーを、段積みした状態においても、上に位置する折り畳まれた折り畳みコンテナーの水平移動が、下に位置する蓋部材に配設された移動阻止部材により、その水平移動が制限されるように構成したものである。
【０００６】
【実施例】
以下に、本発明の実施例について説明するが、本発明の趣旨を越えない限り何ら、本実施例に限定されるものではない。
【０００７】
先ず最初に、図１〜図５を用いて、蓋付き折り畳みコンテナーの全体構成、折り畳み順序及び組み立て順序について説明する。
【０００８】
蓋付き折り畳みコンテナー（以下、単に、折り畳みコンテナーともいう。）は、底部１と底部１の相対する長辺側土手部１ａにヒンジ連結された長側壁２と底部１の相対する短辺側土手部１ｂにヒンジ連結された短側壁３とからなる折り畳みコンテナー本体Ｃ１と、折り畳みコンテナー本体Ｃ１を構成する長側壁２の上端部にヒンジ連結された２つの半蓋４’からなる蓋部材４とから構成されている。
【０００９】
図１に示されているように、蓋部材４により被蓋され、箱型に組み立てられている折り畳みコンテナーを折り畳むには、先ず最初に、蓋部材４を構成する半蓋４’を、水平状態から、略２７０度回転させて、図２に示されているように、長側壁２に重ねる。次いで、短側壁３を、底部１方向に倒して、図３に示されているように、底部１に重ねる。その後、半蓋４’が重ねられている長側壁２を、底部１方向に倒して、底部１に重ねられている短側壁３の上に重ねることにより、図４に示されているように、箱型に組み立てられていた折り畳みコンテナーを、高さの低いコンパクトな状態に折り畳むが、この状態においては、長側壁２に重ねられている半蓋４’の底部１の長辺側土手部１ａ側の縁部が、図４に示されているように、底部１の長辺側土手部１ａから、外側にはみ出しているので、後述する構成により、長側壁２に重ねられ、底部１の長辺側土手部１ａからはみ出している半蓋４’を、互いに接近する方向に移動させて、図５に示されているように、半蓋４’の長辺側土手部１ａ側の縁部が、底部１の長辺側土手部１ａからはみ出さないようにすることにより、よりコンパクトに折り畳むことができるように構成されている。
【００１０】
図５に示されている折り畳まれた状態から、図１に示されているように、箱型に組み立てるには、上述した折り畳み順序と反対の順序で、組み立て作業を行えばよい。即ち、図５に示されている状態から、長側壁２に重ねられている半蓋４’を、互いに離反する方向に移動させて、図４に示されているように、半蓋４’同士が離反した状態にする。次いで、略水平状態の長側壁２を、垂直方向に回動させて、図３に示されているように、略垂直に立てる。次いで、底部１に重ねられている短側壁３を、垂直方向に回動させて、図２に示されているように、折り畳まれていた折り畳みコンテナー本体Ｃ１を、箱型に組み立てる。その後、図１に示されているように、長側壁２に重ねられている半蓋４’を回動させて、図１に示されているように、折り畳みコンテナー本体Ｃ１の開口部を、蓋部材４を構成する半蓋４’で被蓋する。
【００１１】
次に、図６及び図７を用いて、底部１について説明する。
【００１２】
上述したように、底部１の相対する長辺には、長辺側土手部１ａが形成されており、また、底部１の相対する短辺には、上記の長辺側土手部１ａより高さの低い短辺側土手部１ｂが形成されている。そして、長辺側土手部１ａ及び短辺側土手部１ｂには、底部側雌ヒンジ部材Ｈ１が形成されている。実施例には、一例として、短辺側土手部１ｂに、それぞれ、４個の底部側雌ヒンジ部材Ｈ１が形成され、長辺側土手部１ａに、それぞれ、６個の底部側雌ヒンジ部材Ｈ１が形成されている例が示されている。また、底部１の裏面には、長辺側土手部１ａの下端１ａ１及び短辺側土手部１ｂの下端１ｂ１を越えて下方に位置する裏面形状が方形状の嵌合膨出部１ｃが形成されている。
【００１３】
次に、図８及び図９を用いて、長側壁２について説明する。
【００１４】
長側壁２は、横長の長方形状の板部２ａと、板部２ａの周縁から、板部２ａを囲むように、板部２ａに対して略垂直に延在する周縁枠部２ｂを有している。周縁枠部２ｂの下端水平枠２ｂ１の下面には、底部１の長辺側土手部１ａに配設された底部側雌ヒンジ部材Ｈ１に対応して、長側壁側下部雄ヒンジ部材Ｈ２が配設されている。
【００１５】
２ｃは、周縁枠部２ｂが配設されていない板部２ａの垂直縁付近に配設された雌ブロックであり、雌ブロック２ｃには、板部２ａに沿って、その開口が板部２ａの中央側に位置する凹部２ｃ１が形成されている。なお、本実施例には、一例として、このような雌ブロック２ｃが、板部２ａの両側の垂直縁付近に、それぞれ、上下方向に２個ずつ配設されている例が示されている。
【００１６】
長側壁２の周縁枠部２ｂを構成する上端水平枠２ｂ２の上面には、長側壁側上部雄ヒンジ部材Ｈ３が配設されている。長側壁側上部雄ヒンジ部材Ｈ３は、上端水平枠２ｂ２に略垂直に立設された相対する一対の支持片ｈ１と、一対の支持片ｈ１に架橋された水平ピンｈ２とから構成されている。なお、本実施例には、一例として、５個の長側壁側上部雄ヒンジ部材Ｈ３が配設されている例が示されている。
【００１７】
次に、図１０及び図１１を用いて、短側壁３について説明する。
【００１８】
短側壁３は、横長の長方形状の板部３ａを有している。板部３ａの下端には、板部３ａに対して略垂直な下端水平枠３ｂが形成されており、また、板部３ａの両垂直縁の若干内側には、その下端が、下端水平枠３ｂの両端に連結された、相対する端部垂直枠３ｃが形成されている。更に、板部３ａの上端から若干下がった位置で、且つ、板部３ａの上端部の両側領域には、その端部が、端部垂直枠３ｃの上端に連結された上部水平枠３ｄが形成されているとともに、板部３ａの上端の中央領域には、略中央位置に凹部３ｅ１を有する上端水平枠３ｅが形成されており、上端水平枠３ｅの両端と上部水平枠３ｄの端部とは、垂直枠３ｆで連結されている。なお、３ｇは、上端水平枠３ｅに穿設された、後述するロック部材が挿入可能な長方形状の透孔である。
【００１９】
また、短側壁３に形成された下端水平枠３ｂの下面には、底部１の短辺側土手部１ｂに配設された底部側雌ヒンジ部材Ｈ１に対応して、上述した長側壁側下部雄ヒンジ部材Ｈ２と同じ構成を有する短側壁側下部雄ヒンジ部材Ｈ２が配設されている。
【００２０】
更に、短側壁３に形成された端部垂直枠３ｃの外側に位置する板部３ａの帯状領域３ａ１には、端部垂直枠３ｃに沿って、板部３ａに略垂直に延在する雄ブロック３ｈが突設されている。なお、本実施例には、一例として、このような雄ブロック３ｈが、帯状領域３ａ１の上下方向に、それぞれ、２個ずつ配設されている例が示されている。この雄ブロック３ｈは、折り畳みコンテナー本体Ｃ１を箱型に組みたてた際に、上述した長側壁２に配設された雌ブロック２ｃの凹部２ｃ１に挿入されるように構成されている。更にまた、下端水平枠３ｂや端部垂直枠３ｃや上部水平枠３ｄ等が形成されている板部３ａの面とは、反対側に位置するとともに、帯状領域３ａ１と反対側に位置する板部３ａの面には、上下方向に延在する凸条部３ｉが形成されている。
【００２１】
次に、図１２〜図１４を用いて、２枚の半蓋４’からなる蓋部材４について説明する。なお、一方の半蓋４’は、これを１８０度水平回転させた際には、もう一方の半蓋４’と同一構成となるので、一方の半蓋４’についてのみ、その詳細を説明する。
【００２２】
半蓋４’は、箱型に組み立てられた折り畳みコンテナー本体Ｃ１の開口部の長側壁２に沿った略半分の大きさを有する略長方形状の板部４ａを有している。半蓋４’の相対する長辺部４ｂ、４ｃの一方の長辺縁４ｂの全長に亘たって、板部４ａに対して略垂直な内側垂直帯状リブ４ｄ１が形成されており、内側垂直帯状リブ４ｄ１の外側には、所定の間隔を置いて、外側垂直帯状リブ４ｄ２が配置されている。相対する内側垂直帯状リブ４ｄ１の先端と外側垂直帯状リブ４ｄ２の先端の半分は、水平帯状リブ４ｅにより連結されており、相対する内側垂直帯状リブ４ｄ１と外側垂直帯状リブ４ｄ２の上記水平帯状リブ４ｅが配設されていない半分は、板部４ａを延長することにより形成された水平帯状リブ４ｆにより連結されている。そして、上記の内側垂直帯状リブ４ｄ１と外側垂直帯状リブ４ｄ２と水平帯状リブ４ｅとにより、長辺縁４ｂの略半分の長さを有する、長手方向に垂直な断面が略Ｕ字状の樋状凸条部４ｇ１が形成されており、また、内側垂直帯状リブ４ｄ１と外側垂直帯状リブ４ｄ２と板部４ａを延長することにより形成された水平帯状リブ４ｆとにより、長辺縁４ｂの残りの半分には、内側垂直帯状リブ４ｄ１と外側垂直帯状リブ４ｄ２とらなる突出リブ部４ｇ２が形成されている。なお、樋状凸条部４ｇ１と突出リブ部４ｇ２との境界部には、必要に応じて、内側垂直帯状リブ４ｄや外側垂直帯状リブ４ｅ等とを連結する隔壁を形成することもできる。
【００２３】
半蓋４’の相対する長辺部４ｂ、４ｃのもう一方の長辺縁４ｃに沿って、上述した長側壁２の長側壁側上部雄ヒンジ部材Ｈ３に対応して、蓋側雌ヒンジ部材Ｈ４が配設されている。蓋側雌ヒンジ部材Ｈ４は、上述した樋状凸条部４ｇ１及び突出リブ部４ｇ２が突設されている板部４ａの面４ａ１と反対側の面４ａ２に、もう一方の長辺縁４ｃに沿って形成されている。図１４に示されているように、蓋側雌ヒンジ部材Ｈ４は、面４ａ２上に連接された基部ｈ３と、基部ｈ３の内側端に垂設された、長辺縁４ｃに平行な内側垂直部ｈ４と、内側垂直部ｈ４の上端から長辺縁４ｃ方向に延在する水平部ｈ５と、基部ｈ３の外側端に垂設された、長辺縁４ｃに平行な外側垂直部ｈ６と、外側垂直部ｈ６の上部内壁に突設された、長辺縁４ｃに沿って下方に開口された略半円柱状の係合凹溝ｈ７ａを有するとともに、外側垂直部ｈ６より幅の狭い柱状ブロック部ｈ７と、基部ｈ３と外側垂直部ｈ６とにより形成される隅部に形成された係止突起ｈ８とにより構成されている。なお、柱状ブロック部ｈ７の上面ｈ７ｂは、水平部ｈ５の上面ｈ５ａより高く形成されており、また、水平部ｈ５の先端垂直面ｈ５ｂと柱状ブロック部ｈ７の先端垂直面ｈ７ｃとの間には、上述した長側壁２に配設された長側壁側上部雄ヒンジ部材Ｈ３の水平ピンｈ２が通過可能な間隙が形成されている。
【００２４】
蓋側雌ヒンジ部材Ｈ４を構成する基部ｈ３の両端には、長辺縁４ｃに対して略垂直で、且つ、長辺縁４ｃ側が開放されたスリット４ｈが形成されている。また、蓋側雌ヒンジ部材Ｈ４間に位置する板部４ａ領域及び両端に位置する蓋側雌ヒンジ部材Ｈ４の外側に位置する板部４ａ領域には、該領域を、その上面４ｉ１が、蓋側雌ヒンジ部材Ｈ４を構成する基部ｈ３の裏面と略同じか、若干、下方に位置するように、凹ますことにより、下がった段差領域４ｉが形成されている。この下がった段差領域４ｉは、蓋側雌ヒンジ部材Ｈ４が配設されている板部４ａの一方の面４ａ２から、一段下がって形成されているが、板部４ａのもう一方の面４ａ１から見れば、一段上がった段差領域４ｊが形成されていることになる。
【００２５】
半蓋４’の板部４ａの相対する短辺部４ｋ付近で、且つ、樋状凸条部４ｇ１及び突出リブ部４ｇ２が突出している側の板部４ａの面４ａ１には、所定の長さで、且つ、樋状凸条部４ｇ１や突出リブ部４ｇ２と略同じ高さの係止凸条４ｍが形成されている。なお、４ｍ１は、必要に応じて、係止凸条４ｍの垂直面に形成された補強リブである。また、相対する短辺部４ｋの一方の短辺部４ｋ付近で、且つ、蓋側雌ヒンジ部材Ｈ４が配設されている板部４ａの面４ａ２には、額縁状凸条枠４ｎが形成されており、この額縁状凸条枠４ｎにより囲まれた板部４ａには、長方形状の透孔４ｎ１が穿設されており、透孔４ｎ１を形成する相対する長辺側垂直壁４ｎ２からは、互いに接近する方向に、係合突起４ｎ３が突設されている。なお、透孔４ｎ１等については、再度、後述する。
【００２６】
次に、図１５〜図１８を用いて、一例として、底部１の短辺側土手部１ｂに形成された底部側雌ヒンジ部材Ｈ１と短側壁３に形成された短側壁側下部雄ヒンジ部材Ｈ２及び底部側雌ヒンジ部材Ｈ１と短側壁側下部雄ヒンジ部材Ｈ２とのヒンジ連結構造について説明する。なお、底部１の長辺側土手部１ａに形成された底部側雌ヒンジ部材Ｈ１と長側壁２に形成された長側壁側下部雄ヒンジ部材Ｈ２の構成及びヒンジ連結構造は、実質的に同一であるので、その詳細な説明は省略する。
【００２７】
先ず最初に、底部１の短辺側土手部１ｂに形成された底部側雌ヒンジ部材Ｈ１について説明する。
【００２８】
底部１の短辺側土手部１ｂの水平部１ｂ１には、平面形状が長方形の水平孔１ｄが形成されており、また、短辺側土手部１ｂの内壁部１ｂ２には、水平孔１ｄに連通するとともに、底板１ｅ付近まで延在する方形状の縦孔１ｆが形成されている。縦孔１ｆの横幅（短辺側土手部１ｂの長手方向に沿った長さ）は、水平孔１ｄの長辺長さ（短辺側土手部１ｂの長手方向に沿った長さ）より短く、且つ、水平孔１ｄの長辺の略中央部に位置している。縦孔１ｆの両側に位置する内壁部１ｂ２の内面の上端部には、内壁部１ｂ２に対して略垂直方向に延在するフック１ｇが形成されており、フック１ｇの下面は略水平な水平面１ｇ１として形成されており、また、上面は、外壁部１ｂ３方向に向かって下方に傾斜した傾斜面１ｇ２として形成されている。１ｈは、外壁部１ｂ３の内面（内壁部１ｂ２側に位置する面）に形成された垂直方向に延在する突条であり、平面的に見て、水平孔１ｄの中央に位置するように配置されている。
【００２９】
次に、短側壁３に形成された短側壁側下部雄ヒンジ部材Ｈ２について説明する。
【００３０】
短側壁３の下端水平枠３ｂの下面に形成された支持部１０は、所定の間隔をおいて配置された一対の略方形状の支持片１０ａと、支持片１０ａを架橋する連結片１０ｂとを有している。連結片１０ｂは、下端水平枠３ｂから支持片１０ａの下端中央部付近まで、支持片１０ａに沿って延在しており、連結片１０ｂの板部３ａ側の壁面１０ｂ１は、板部３ａの壁面３ａ２と略面一になるように構成されている。また、一対の支持片１０ａの外側面には、外側面に垂直方向にヒンジブロック１０ｃが形成されている。
【００３１】
上述した構成を有する底部１の短辺側土手部１ｂに形成された底部側雌ヒンジ部材Ｈ１と短側壁３に形成された短側壁側下部雄ヒンジ部材Ｈ２とを用いて、底部１と短側壁３とをヒンジ連結するには、図１５に示されているように、短側壁３が略水平状態となるように短側壁３を配置し、その後、短側壁３を、底部１に向かって下降させ、短側壁３に形成されたヒンジブロック１０ｃを有する支持部１０を、短辺側土手部１ｂの水平部１ｂ１に形成された水平孔１ｄに挿入すると、ヒンジブロック１０ｃを、短辺側土手部１ｂの外壁部１ｂ３とフック１ｇとの間に配置する。
【００３２】
また、上述した短側壁３の下降途中において、連結片１０ｂが、外壁部１ｂ３の内面に形成された突条１ｈに当接することになるが、突条１ｈの上面には傾斜面１ｈ１が形成されているので、連結片１０ｂは、無理なく、容易に、図１７に示されているように、突条１ｈを越えて、突条１ｈの水平面１ｈ２より下方に位置することができる。図１７に示されているように、連結片１０ｂの先端１０ｂ２は、突条１ｈの水平面１ｈ２の下方に位置しているので、水平状態の短側壁３を上方に持ち上げても、連結片１０ｃの先端１０ｂ２が、突条１ｈの水平面１ｈ２に当接し、従って、短側壁３が、底部１から外れるようなことがない。
【００３３】
底部１と短側壁３とがヒンジ連結された後、略水平状態の短側壁３を、略垂直に立てると、図１８に示されているように、ヒンジブロック１０ｃの一部は、フック１ｇの水平面１ｇ１の下に入り込むとともに、短側壁３の下端水平枠３ｂが、底部１の短辺側土手部１ｂの水平部１ｂ１に載置されることになる。
【００３４】
上述したようにして、底部１の短辺側土手部１ｂに形成された底部側雌ヒンジ部材Ｈ１と短側壁３に形成された短側壁側下部雄ヒンジ部材Ｈ２とを用いて、底部１と短側壁３とをヒンジ連結する。また、同様に、底部１の長辺側土手部１ａに形成された底部側雌ヒンジ部材Ｈ１と長側壁２に形成された長側壁側下部雄ヒンジ部材Ｈ２とを用いて、底部１と長側壁２とをヒンジ連結する。
【００３５】
次に、図９、図１２、図１４、図１９及び図２０を用いて、上述した長側壁２に配設された長側壁側上部雄ヒンジ部材Ｈ３と半蓋４’に配設された蓋側雌ヒンジ部材Ｈ４とによる長側壁２と半蓋４’とのヒンジ連結について説明する。
【００３６】
長側壁２に配設された長側壁側上部雄ヒンジ部材Ｈ３を構成する一対の支持片ｈ１を、半蓋４’に配設された蓋側雌ヒンジ部材Ｈ４の基部ｈ３の両端に形成されたスリット４ｈに挿入するように配置するとともに、長側壁側上部雄ヒンジ部材Ｈ３を構成する一対の支持片ｈ１に架橋された水平ピンｈ２を、蓋側雌ヒンジ部材Ｈ４を構成する水平部ｈ５の先端垂直面ｈ５ｂと柱状ブロック部ｈ７の先端垂直面ｈ７ｃとの間に形成された間隙に挿通し、その後、長側壁側上部雄ヒンジ部材Ｈ３を構成する水平ピンｈ２を、蓋側雌ヒンジ部材Ｈ４を構成する柱状ブロック部ｈ７の係合凹溝ｈ７ａに挿入する。水平ピンｈ２の柱状ブロック部ｈ７の係合凹溝ｈ７ａへの挿入の際に、水平ピンｈ２は、基部ｈ３と外側垂直部ｈ６とにより形成される隅部に形成された係止突起ｈ８を強制的に越えて、柱状ブロック部ｈ７の係合凹溝ｈ７ａに挿入されるように構成されているので、柱状ブロック部ｈ７の係合凹溝ｈ７ａに挿入された水平ピンｈ２は、係止突起ｈ８に当接し、簡単には、柱状ブロック部ｈ７の係合凹溝ｈ７ａから抜け出ないように構成されている。このようにして、長側壁２に配設された長側壁側上部雄ヒンジ部材Ｈ３と半蓋４’に配設された蓋側雌ヒンジ部材Ｈ４とにより、長側壁２と半蓋４’とがヒンジ連結されるように構成されている。
【００３７】
なお、図１及び図２１に示されているように、半蓋４’により、箱型に組み立てられた折り畳みコンテナーＣ１の開口部を被蓋した際に、半蓋４’の板部４ａの面４ａ１に突設されている樋状凸条部４ｇ１及び突出リブ部４ｇ２が、下方に位置し、即ち、面４ａ１が、箱型に組み立てられた折り畳みコンテナーＣ１の内側に位置し、また、半蓋４’の板部４ａの面４ａ２の突設されている額縁状凸条枠４ｎが、上方に位置し、即ち、面４ａ２が、箱型に組み立てられた折り畳みコンテナーＣ１の外側に位置するように、半蓋４’が、長側壁２にヒンジ連結されるように構成されている。そして、折り畳みコンテナー本体Ｃ１が、箱型に組み立てられ、半蓋４’により被蓋された際には、半蓋４’の板部４ａの面４ａ１の突設されている樋状凸条部４ｇ１の端部及び突出リブ部４ｇ２の端部が、短側壁３の上端水平枠３ｅの中央領域に形成された凹部３ｅ１に挿入されるとともに、半蓋４’の板部４ａの面４ａ１に形成された係止凸条４ｍが、板部３ａの上端から若干下がった位置に形成された上部水平枠３ｄの上方に配置されるように構成されている。
【００３８】
図２に示されているように、折り畳みコンテナー本体Ｃ１が、箱型に組み立てられた後に、長側壁側上部雄ヒンジ部材Ｈ３と半蓋４’に配設された蓋側雌ヒンジ部材Ｈ４とにより構成されたヒンジ部により、長側壁２に重なるように垂下されている半蓋４’を、折り畳みコンテナー本体Ｃ１の開口部方向に、略２７０度回動させて、図１に示されているように、折り畳みコンテナー本体Ｃ１の開口部を、蓋部材４を構成する２枚の半蓋４’により被蓋する。折り畳みコンテナー本体Ｃ１を、半蓋４’により被蓋した際には、半蓋４’の板部４ａの面４ａ１（折り畳みコンテナー本体Ｃ１の開口部を被蓋した半蓋４’の裏面側）に突設されている樋状凸条部４ｇ１の端部及び突出リブ部４ｇ２の端部は、短側壁３の上端水平枠３ｅの中央領域に形成された凹部３ｅ１に挿入されるとともに、同じく、半蓋４’の板部４ａの面４ａ１（折り畳みコンテナー本体Ｃ１の開口部を被蓋した半蓋４’の裏面側）に形成された係止凸条４ｍが、板部３ａの上端から若干下がった位置に形成された上部水平枠３ｄの上方に配置されるように構成されている。更に、半蓋４’の板部４ａの面４ａ２に突設された額縁状凸条枠４ｎが、折り畳みコンテナー本体Ｃ１の開口部を被蓋した半蓋４’の上面側に位置するように構成されている。
【００３９】
図２２に示されているように、箱型に組み立てられ、蓋部材４を構成する２枚の半蓋４’で被蓋された折り畳みコンテナーＣを、段積みした際には、上に位置する折り畳みコンテナーＣａの底部１の裏面に形成されている嵌合膨出部１ｃが、下に位置する折り畳みコンテナーＣｂの相対する長側壁２に配設され、半蓋４’の上面を越えて上方に延在している長側壁側上部雄ヒンジ部材Ｈ３の支持片ｈ１の内側に位置するとともに、２枚の半蓋４’の上面側に、点対象の位置にある２個の額縁状凸条枠４ｎの内側に位置するように構成されているので、上に位置する折り畳みコンテナーＣａが水平方向に移動しようとしても、上に位置する折り畳みコンテナーＣａの底部１の嵌合膨出部１ｃが、下に位置する折り畳みコンテナーＣｂの長側壁側上部雄ヒンジ部材Ｈ３を構成する支持片ｈ１及び額縁状凸条枠４ｎに当接し、上に位置する折り畳みコンテナーＣａの水平方向の移動が制限されるので、安定した状態で、多数の折り畳みコンテナーＣを段積みすることができる。なお、額縁状凸条枠４ｎに代えて、或いは、額縁状凸条枠４ｎに加えて、半蓋４’の面４ａ２には、上に位置する折り畳みコンテナーＣａの短側壁３方向への移動を制限する、上述した係止凸条４ｍと同様の凸条を形成することもできる。
【００４０】
ところで、箱型に組み立てられた折り畳みコンテナーの折り畳み作業の過程においては、図３に示されているように、短側壁３が底部１に重なるように倒された後に、略垂直に立てられ、且つ、半蓋４’が重なるように垂下されている状態の長側壁２を、底部１方向に倒すことになるが、長側壁２が、略垂直に立てられ、且つ、半蓋４’が重なるように垂下されている状態においては、上述したように、長側壁２に配設された長側壁側上部雄ヒンジ部材Ｈ３の一対の支持片ｈ１に架橋された水平ピンｈ２が、半蓋４’に配設された蓋側雌ヒンジ部材Ｈ４を構成する柱状ブロック部ｈ７の係合凹溝ｈ７ａに挿入されている。このようなヒンジ連結状態でヒンジ連結されている長側壁２と半蓋４’を、半蓋４’が重なるように垂下されている長側壁２を、底部１に重ねられている短側壁３に重なるように倒すと、一方の長側壁２と半蓋４’のヒンジ部を構成する長側壁側上部雄ヒンジ部材Ｈ３と蓋側雌ヒンジ部材Ｈ４と、もう一方の長側壁２と半蓋４’のヒンジ部を構成する長側壁側上部雄ヒンジ部材Ｈ３と蓋側雌ヒンジ部材Ｈ４とは、略中央部において、対向するように位置するとともに、図２３に示されているように、長側壁２に配設された長側壁側上部雄ヒンジ部材Ｈ３の一対の支持片ｈ１に架橋された水平ピンｈ２が、半蓋４’に配設された蓋側雌ヒンジ部材Ｈ４を構成する柱状ブロック部ｈ７の係合凹溝ｈ７ａに挿入されているので、図４に示されているように、長側壁２に重ねられている半蓋４’の底部１の長辺側土手部１ａ側の縁部が、底部１の長辺側土手部１ａから、外側にはみ出しており、且つ、水平状態の半蓋４’間に間隙Ｄが生じている。また、この状態においては、図４に示されているように、相対する半蓋４’のスリット４ｈ間に形成されている、板部４ａ一方の面４ａ１から見て、一段上がった状態の段差領域４ｊは、互い違いに配置されるように構成されている。
【００４１】
図２３に示されているような、長側壁２に配設された長側壁側上部雄ヒンジ部材Ｈ３の一対の支持片ｈ１に架橋された水平ピンｈ２が、半蓋４’に配設された蓋側雌ヒンジ部材Ｈ４を構成する柱状ブロック部ｈ７の係合凹溝ｈ７ａに挿入されている状態から、相対している半蓋４’の蓋側雌ヒンジ部材Ｈ４付近を下方に押すと、図２４に示されているように、長側壁側上部雄ヒンジ部材Ｈ３の水平ピンｈ２が、蓋側雌ヒンジ部材Ｈ４を構成する柱状ブロック部ｈ７の係合凹溝ｈ７ａから抜け出ることになる。このように、長側壁側上部雄ヒンジ部材Ｈ３の水平ピンｈ２が、蓋側雌ヒンジ部材Ｈ４を構成する柱状ブロック部ｈ７の係合凹溝ｈ７ａから抜け出た状態において、相対している半蓋４’を、互いに接近する方向に押すと、図２５に示されているように、長側壁側上部雄ヒンジ部材Ｈ３の水平ピンｈ２は、蓋側雌ヒンジ部材Ｈ４を構成する基部ｈ３と内側垂直部ｈ４と水平部ｈ５とにより形成される水平凹部ｈ９に入り込むことになる。このように、蓋側雌ヒンジ部材Ｈ４を構成する基部ｈ３と内側垂直部ｈ４と水平部ｈ５とにより形成される水平凹部ｈ９が形成されており、この水平凹部ｈ９には、蓋側雌ヒンジ部材Ｈ４を構成する柱状ブロック部ｈ７の係合凹溝ｈ７ａから抜け出た長側壁側上部雄ヒンジ部材Ｈ３の水平ピンｈ２が挿入可能なように構成されており、従って、倒された水平状態の長側壁２に重ねられている半蓋４’が、互いに接近する方向に移動可能なように構成されているので、図４に示されているように、底部１の長辺側土手部１ａから外側にはみ出している半蓋４’の底部１の長辺側土手部１ａ側の縁部が、引っ込んで、図５に示されているように、半蓋４’が、底部１からはみ出すようなことがなくなり、従って、よりコンパクトな状態に折り畳みコンテナーを折り畳むことができることになる。
【００４２】
上述したように、図４に示されている状態から、相対する半蓋４’を、互いに接近する方向に移動させた際には、一方の半蓋４’に形成された段差領域４ｊは、もう一方の半蓋４’の板部４ａの上に重ねられるように移動し、また、もう一方の半蓋４’に形成された段差領域４ｊは、一方の半蓋４’の板部４ａの上に重ねられるように移動することになり、図４に示されているように、半蓋４’間に存在する間隙Ｄが、段差領域４ｊにより閉ざされることになる。なお、折り畳みコンテナーを、箱型に組み立てる際には、上述したと逆の工程により、長側壁側上部雄ヒンジ部材Ｈ３の水平ピンｈ２を、蓋側雌ヒンジ部材Ｈ４を構成する基部ｈ３と内側垂直部ｈ４と水平部ｈ５とにより形成される水平凹部ｈ９から抜き出すとともに、蓋側雌ヒンジ部材Ｈ４を構成する柱状ブロック部ｈ７の係合凹溝ｈ７ａに挿入して、長側壁側上部雄ヒンジ部材Ｈ３と蓋側雌ヒンジ部材Ｈ４とによる通常のヒンジ状態に戻す。
【００４３】
また、図５に示されているように、折り畳みコンテナー本体Ｃ１が折り畳まれ、且つ、蓋部材４を構成する半蓋４’が、長側壁２に載置された状態においては、蓋部材４の上面の底部１の長辺側土手部１ａ側には、樋状凸条部４ｇ１及び突出リブ部４ｇ２が位置し、また、蓋部材４を構成する半蓋４’の上面の底部１の短側壁土手部１ｂ側には、係止凸条４ｍが位置するように構成されている。そして、折り畳まれた状態の折り畳みコンテナーを、段積みした際には、上に位置する折り畳まれた状態の折り畳みコンテナーの底部１の裏面に形成された嵌合膨出部１ｃは、下に位置する折り畳まれた状態の折り畳みコンテナーの蓋部材４を構成する半蓋４’の樋状凸条部４ｇ１と突出リブ部４ｇ２及び係止凸条４ｍにより囲まれた領域に載置されるように構成されているので、上に位置する折り畳まれた状態の折り畳みコンテナーが水平方向に移動しようとしても、その移動が、下に位置する折り畳まれた状態の折り畳みコンテナーの蓋部材４を構成する半蓋４’の樋状凸条部４ｇ１と突出リブ部４ｇ２及び係止凸条４ｍにより阻止されることになり、従って、安定した状態で、多数の折り畳まれた状態の折り畳みコンテナーを段積みすることができるとともに、上に位置する折り畳まれた状態の折り畳みコンテナーが、下に位置する折り畳まれた状態の折り畳みコンテナーから落下するようなことが防止できる。
【００４４】
なお、図３に示されているように、短側壁３が、底部１に重ねられた状態においては、短側壁３に形成されている凸条部３ｉが、底部１の上面に載置されるように構成されている。このように、短側壁３に形成されている凸条部３ｉが、底部１の上面に載置されるように構成されているので、倒された短側壁３を、略水平状態に維持することができ、従って、短側壁３に重ねられる長側壁２を、同様に、略水平状態に維持することができるので、折り畳まれた状態の折り畳みコンテナーを、安定した状態で段積みすることができる。また、短側壁３と長側壁２とを略水平状態に維持することができるので、折り畳まれた状態の折り畳みコンテナーの圧縮強度が増加し、折り畳まれた状態の折り畳みコンテナーを、更に安定した状態で段積みすることができる。
【００４５】
なお、図３に示されているように、短側壁３が底部１に重ねられ、長側壁２が略垂直に立てられている状態から、短側壁３を垂直方向に回動させると、短側壁３の回動途中において、短側壁３の端部垂直枠３ｃの外側に位置する板部３ａの帯状領域３ａ１に形成された雄ブロック３ｈが、長側壁２の板部２ａの垂直縁付近に配設された雌ブロック２ｃの凹部２ｃ１に挿入されるように構成されている。
【００４６】
次に、図２６〜図３３を用いて、ロック部材Ｋについて説明する。
【００４７】
ロック部材Ｋは、上下方向に対向するように位置する一対の長方形状のロック板ｋ１と、２枚のロック板ｋ１の中央部を連結する、略角柱状の連結支柱ｋ２とを有しており、ロック板ｋ１の長辺ｋ１ａ側に位置する連結支柱ｋ２の相対する側面の中央部には、縦方向に延在する凹部ｋ３が形成されている。この凹部ｋ３には、上述した半蓋４’に形成された額縁状凸条枠４ｎ内に穿設された長方形状の透孔４ｎ１の相対する長辺側垂直壁４ｎ２に突設された係合突起４ｎ３が嵌入可能なように構成されている。また、連結支柱ｋ２の略中間部には、凹部ｋ３が形成されている連結支柱ｋ２の相対する側面から突出した板状の張出部ｋ４が形成されており、張出部ｋ４のロック板ｋ１の短辺ｋ１ｂに沿った幅は、額縁状凸条枠４ｎ内に穿設された長方形状の透孔４ｎ１の長辺側垂直壁４ｎ２間の幅より狭く形成されており、従って、張出部ｋ４が、透孔４ｎ１を通過できるように構成されている。
【００４８】
なお、ロック部材Ｋは、連結支柱ｋ２が、額縁状凸条枠４ｎ内に穿設された長方形状の透孔４ｎ１に挿入されるように、半蓋４’に配設されることになるが、ロック部材Ｋを、一方のロック板ｋ１と、一方のロック板ｋ１が無い状態の部材とにより、合成樹脂等により分割して成形し、一方のロック板ｋ１が無い状態の部材の連結支柱ｋ２を、額縁状凸条枠４ｎ内に穿設された長方形状の透孔４ｎ１に挿入した後、連結支柱ｋ２の端部に、一方のロック板ｋ１を接着することにより、ロック部材Ｋを、半蓋４’の額縁状凸条枠４ｎ内に穿設された長方形状の透孔４ｎ１に挿入することができる。また、図２９に示されているように、一方のロック板ｋ１に２本のフックｋ５ａ付き脚部ｋ５を形成するとともに、もう一方のロック板ｋ１の連結支柱ｋ２付近に嵌合孔ｋ６を穿設し、連結支柱ｋ２を、額縁状凸条枠４ｎ内に穿設された長方形状の透孔４ｎ１に挿入した後、一方のロック板ｋ１に形成された脚部ｋ５を、もう一方のロック板ｋ１に穿設された嵌合孔ｋ６に挿入するとともに、脚部ｋ５のフックｋ５ａを、もう一方のロック板ｋ１に引っ掛け係止させることにより、ロック部材Ｋを、半蓋４’の額縁状凸条枠４ｎ内に穿設された長方形状の透孔４ｎ１に挿入するように構成することもできる。
【００４９】
次に、図１に示されているように、箱型に組み立てられた折り畳みコンテナー本体Ｃ１の開口部に、半蓋４’が被蓋された状態におけるロック部材Ｋの施錠状態及び施錠解除状態について説明する。
【００５０】
折り畳みコンテナー本体Ｃ１が、半蓋４’により被蓋された状態で、且つ、図３０に示されているように、ロック部材Ｋの連結支柱ｋ２が、半蓋４’の額縁状凸条枠４ｎ内に穿設された透孔４ｎ１の長側壁２側の短辺垂直壁４ｎ４に当接或いは接近して位置している場合には、ロック部材Ｋの下方に位置するロック板ｋ１が、短側壁３の上端水平枠３ｅに穿設された長方形状の透孔３ｇ内に挿通されているとともに、下方に位置するロック板ｋ１の上面ｋ１ｃが、短側壁３の上端水平枠３ｅの下面３ｅ２より下方に位置している。この状態が、図３０に示されているロック部材Ｋの施錠解除状態である。この施錠解除状態においては、この状態から、半蓋４’を、長側壁２に配設された長側壁側上部雄ヒンジ部材Ｈ３と半蓋４’に配設された蓋側雌ヒンジ部材Ｈ４によるヒンジ部を中心に、上方に回動させると、半蓋４’に配設されたロック部材Ｋの下方に位置するロック板ｋ１が、短側壁３の上端水平枠３ｅに穿設された透孔３ｇから抜け出るように構成されている。なお、ロック部材Ｋの上方に位置するロック板ｋ１は、半蓋４’に配設された額縁状凸条枠４ｎ内に、透孔４ｎ１の長辺側垂直壁４ｎ２に沿って移動できるように挿入されている。
【００５１】
上述したロック部材Ｋの施錠解除状態から、ロック部材Ｋを、半蓋４’の樋状凸条部４ｇ１及び突出リブ部４ｇ２方向、換言すれば、長側壁２から遠ざかる方向に移動させると、ロック部材Ｋの下方に位置するロック板ｋ１の移動方向前方の先端部分ｋ１’が、図３１に示されているように、短側壁３の上端水平枠３ｅの下面３ｅ２の下方に入り込むとともに、半蓋４’の額縁状凸条枠４ｎ内に穿設された透孔４ｎ１の長辺側垂直壁４ｎ２に突設された係合突起４ｎ３が、ロック部材Ｋの連結支柱ｋ２に形成された凹部ｋ３に嵌合されて、簡単には、ロック部材Ｋが移動しないように構成されている。この状態が、半蓋４’が、ロック部材Ｋを介して、短側壁３に施錠された施錠状態である。なお、施錠状態を解除するには、ロック部材Ｋを、長側壁２側に移動させて、ロック部材Ｋの下方に位置するロック板ｋ１の上記移動方向前方の先端部分ｋ１’を、短側壁３の上端水平枠３ｅの下面３ｅ２から排除し、その後、半蓋４’を、長側壁２に配設された長側壁側上部雄ヒンジ部材Ｈ３と半蓋４’に配設された蓋側雌ヒンジ部材Ｈ４とによるヒンジ部を中心に、上方に回動させると、ロック部材Ｋの下方に位置するロック板ｋ１が、短側壁３の上端水平枠３ｅに穿設された長方形状の透孔３ｇから抜け出て、半蓋４’を、長側壁２に重なるまで回動させことができる。なお、上記の施錠状態において、ロック部材Ｋの連結支柱ｋ２に形成された凹部ｋ３に、額縁状凸条枠４ｎ内に穿設された長方形状の透孔４ｎ１の相対する長辺側垂直壁４ｎ２に突設された係合突起４ｎ３が嵌入された状態では、係合突起４ｎ３の直ぐ下に、連結支柱ｋ２の略中間部に突設された張出部ｋ４が位置しているので、ロック部材Ｋが上下方向へ移動しようとしても、係合突起４ｎ３が張出部ｋ４に当接し、その移動が制限されるので、ロック部材Ｋの上下方向の移動も少なく、ロック部材Ｋの施錠解除が、不用意に行われることを防止することができる。
【００５２】
次に、図５に示されているように、折り畳みコンテナーが折り畳まれた状態における、半蓋４’に配設されたロック部材Ｋの下に位置する長側壁２に対する施錠状態及び施錠解除状態について説明する。
【００５３】
ところで、図８及び図３２に示されているように、長側壁２の周縁枠部２ｂを構成する垂直枠２ｂ３の下端部には、上枠２ｄ１と、下枠２ｄ２と、上枠２ｄ１と下枠２ｄ２とを連結する垂直枠２ｄ３と、長側壁２の周縁枠部２ｂを構成する垂直枠２ｂ３とにより囲まれた長方形状の角筒２ｄが形成されている。また、上記の角筒２ｄの周縁枠部２ｂの先端側に位置する下端水平枠２ｂ１側部分は、閉鎖壁２ｄ４により閉鎖されている。
【００５４】
折り畳みコンテナーが折り畳まれた状態においては、図３３に示されているように、半蓋４’は、長側壁２の上に載置されているとともに、半蓋４’に形成された額縁状凸条枠４ｎは、半蓋４’の裏面に位置しており、且つ、ロック部材Ｋの上方に位置するロック板ｋ１は、半蓋４’の額縁状凸条枠４ｎが配設されていない板部４ａの面４ａ１に載置されている。そして、ロック部材Ｋの施錠解除状態においては、ロック部材Ｋの下方に位置するロック板ｋ１は、長側壁２に形成された長方形状の角筒２ｄに挿通されているとともに、ロック部材Ｋの下方に位置するロック板ｋ１の上面ｋ１ｄは、長側壁２に形成された角筒２ｄの一部を閉鎖する閉鎖壁２ｄ４の裏面２ｄ４’から外れた位置にある。この状態から、ロック部材Ｋを、半蓋４’の樋状凸条部４ｇ１及び突出リブ部４ｇ２方向、換言すれば、底部１の長辺側土手部１ａ方向に移動させると、ロック部材Ｋの下方に位置するロック板ｋ１の移動方向前方の先端部分ｋ１”が、図３４に示されているように、長側壁２に形成された角筒２ｄの一部を閉鎖する閉鎖壁２ｄ４の裏面２ｄ４’の下方に入り込むとともに、半蓋４’の額縁状凸条枠４ｎ内に穿設された透孔４ｎ１の長辺側垂直壁４ｎ２に突設された係合突起４ｎ３が、ロック部材Ｋの連結支柱ｋ２に形成された凹部ｋ３に嵌合されて、簡単には、ロック部材Ｋが移動しないように構成されている。この状態が、半蓋４’が、ロック部材Ｋを介して、長側壁２に施錠された施錠状態である。
【００５５】
上述した半蓋４’と長側壁２とのロック部材Ｋによる施錠状態から、長側壁２と半蓋４’のロック部材Ｋにより施錠状態を解除するには、ロック部材Ｋを、長側壁２に配設された長側壁側上部雄ヒンジ部材Ｈ３と半蓋４’に配設された蓋側雌ヒンジ部材Ｈ４とによるヒンジ部方向に移動させて、ロック部材Ｋの下方に位置するロック板ｋ１の上述した先端部分ｋ１”を、図３３に示されているように、長側壁２に形成された角筒２ｄの一部を閉鎖する閉鎖壁２ｄ４の裏面２ｄ４’から排除する。このようにして、長側壁２と半蓋４’のロック部材Ｋにより施錠状態を解除することができる。
【００５６】
上述したように、箱型に組み立てられ、且つ、蓋部材４を構成する半蓋４’により被蓋された折り畳みコンテナーの短側壁３が、半蓋４’に配設されたロック部材Ｋにより、施錠されるとともに、折り畳まれた状態においても、半蓋４’の下方に位置する長側壁２が、半蓋４’に配設されたロック部材Ｋにより、施錠されるように構成されているので、箱型に組み立てられ状態においても、折り畳まれた状態においても、半蓋４’の回動を阻止することができる。
【００５７】
【発明の効果】
本発明は、以上説明した構成を有しているので、以下に記載する効果を奏するものである。
【００５８】
箱型に組み立てられ、且つ、蓋部材により被蓋された折り畳みコンテナーが、段積みされた状態において、上に位置する折り畳みコンテナーの水平移動が、下に位置する蓋部材に配設された移動阻止部材により、その水平移動が制限されるとともに、折り畳まれ、且つ、蓋部材が載置された折り畳みコンテナーを、段積みした状態においても、上に位置する折り畳まれた折り畳みコンテナーの水平移動が、下に位置する蓋部材に配設された移動阻止部材により、その水平移動が制限されるように構成されているので、箱型に組み立てられ状態においても、折り畳まれた状態においても、蓋付き折り畳みコンテナーを、安定した状態で段積みすることができる。
【図面の簡単な説明】
【図１】図１は本発明の蓋付き折り畳みコンテナーが箱型に組み立てられた状態の斜視図である。
【図２】図２は本発明の蓋付き折り畳みコンテナーが箱型に組み立てられ、且つ、蓋部材により被蓋が解除された状態の斜視図である。
【図３】図３は本発明の蓋付き折り畳みコンテナーの折り畳み途中或いは組み立て途中の斜視図である。
【図４】図４は本発明の蓋付き折り畳みコンテナーの折り畳み途中或いは組み立て途中の斜視図である。
【図５】図５は本発明の蓋付き折り畳みコンテナーが折り畳まれた状態の斜視図である。
【図６】図６は本発明の蓋付き折り畳みコンテナーを構成する底部の斜視図である。
【図７】図７は本発明の蓋付き折り畳みコンテナーを構成する底部の裏面斜視図である。
【図８】図８は本発明の蓋付き折り畳みコンテナーを構成する長側壁の外側からの斜視図である。
【図９】図９は本発明の蓋付き折り畳みコンテナーを構成する長側壁の内側からの斜視図である。
【図１０】図１０は本発明の蓋付き折り畳みコンテナーを構成する短側壁の外側からの斜視図である。
【図１１】図１１は本発明の蓋付き折り畳みコンテナーを構成する短側壁の内側からの斜視図である。
【図１２】図１２は本発明の蓋付き折り畳みコンテナーを構成する蓋部材の一方の半蓋の斜視図である。
【図１３】図１３は本発明の蓋付き折り畳みコンテナーを構成する蓋部材の一方の半蓋の裏面斜視図である。
【図１４】図１４は本発明の蓋付き折り畳みコンテナーを構成する蓋部材の蓋側雌ヒンジ部材の拡大斜視図である。
【図１５】図１５は本発明の蓋付き折り畳みコンテナーの側壁と底部をヒンジ連結する一例としてのヒンジ部材の分解斜視図である。
【図１６】図１６は本発明の蓋付き折り畳みコンテナーの側壁と底部をヒンジ連結する一例としてのヒンジ部の部分垂直断面図である。
【図１７】図１７は同じく本発明の蓋付き折り畳みコンテナーの側壁と底部をヒンジ連結する一例としてのヒンジ部の部分垂直断面図である。
【図１８】図１８は同じく本発明の蓋付き折り畳みコンテナーの側壁と底部をヒンジ連結する一例としてのヒンジ部の部分垂直断面図である。
【図１９】図１９は本発明の蓋付き折り畳みコンテナーを構成する長側壁と半蓋との部分分解斜視図である。
【図２０】図２０は本発明の蓋付き折り畳みコンテナーを構成する長側壁と半蓋との部分斜視図である。
【図２１】図２１は本発明の蓋付き折り畳みコンテナーが箱型に組み立てられ、且つ、蓋部材により被蓋された状態の部分斜視図である。
【図２２】図２２は本発明の蓋付き折り畳みコンテナーが箱型に組み立てられ、且つ、蓋部材により被蓋された状態の段積み状態を示す斜視図である。
【図２３】図２３は本発明の蓋付き折り畳みコンテナーの半蓋が長側壁に重ねられた状態の部分斜視図である。
【図２４】図２４は同じく本発明の蓋付き折り畳みコンテナーの半蓋が長側壁に重ねられた状態の部分斜視図である。
【図２５】図２５は同じく本発明の蓋付き折り畳みコンテナーの半蓋が長側壁に重ねられた状態の部分斜視図である。
【図２６】図２６は本発明の蓋付き折り畳みコンテナーを構成する半蓋の額縁状凸条枠付近の部分拡大斜視図である。
【図２７】図２７は本発明の蓋付き折り畳みコンテナーを構成する半蓋に配設された額縁状凸条枠の平面図である。
【図２８】図２８は本発明の蓋付き折り畳みコンテナーを構成するロック部材の斜視図である。
【図２９】図２９は本発明の蓋付き折り畳みコンテナーを構成する一例としてのロック部材の分解斜視図である。
【図３０】図３０は本発明の蓋付き折り畳みコンテナーを構成する半蓋と短側壁のロック部材を含む部分垂直断面図である。
【図３１】図３１は同じく本発明の蓋付き折り畳みコンテナーを構成する半蓋と短側壁のロック部材を含む部分垂直断面図である。
【図３２】図３２は本発明の蓋付き折り畳みコンテナーを構成する半蓋と長側壁と底部の部分分解斜視図である。
【図３３】図３３は本発明の蓋付き折り畳みコンテナーを構成する半蓋と長側壁のロック部材を含む部分垂直断面図である。
【図３４】図３４は同じく本発明の蓋付き折り畳みコンテナーを構成する半蓋と長側壁のロック部材を含む部分垂直断面図である。
【符号の説明】
Ｈ１・・・・・・・・・・・・・底部側雌ヒンジ部材
Ｈ２・・・・・・・・・・・・・長側壁側下部雄ヒンジ部材
Ｈ３・・・・・・・・・・・・・長側壁側上部雄ヒンジ部材
Ｈ４・・・・・・・・・・・・・蓋側雌ヒンジ部材
Ｋ・・・・・・・・・・・・・・ロック部材
１・・・・・・・・・・・・・・底部
２・・・・・・・・・・・・・・長側壁
３・・・・・・・・・・・・・・短側壁
４・・・・・・・・・・・・・・蓋部材
４’・・・・・・・・・・・・・半蓋
【図１】
2004018004.tif 000003
【図２】
2004018004.tif 000004
【図３】
2004018004.tif 000005
【図４】
2004018004.tif 000006
【図５】
2004018004.tif 000007
【図６】
2004018004.tif 000008
【図７】
2004018004.tif 000009
【図８】
2004018004.tif 000010
【図９】
2004018004.tif 000011
【図１０】
2004018004.tif 000012
【図１１】
2004018004.tif 000013
【図１２】
2004018004.tif 000014
【図１３】
2004018004.tif 000015
【図１４】
2004018004.tif 000016
【図１５】
2004018004.tif 000017
【図１６】
2004018004.tif 000018
【図１７】
2004018004.tif 000019
【図１８】
2004018004.tif 000020
【図１９】
2004018004.tif 000021
【図２０】
2004018004.tif 000022
【図２１】
2004018004.tif 000023
【図２２】
2004018004.tif 000024
【図２３】
2004018004.tif 000025
【図２４】
2004018004.tif 000026
【図２５】
2004018004.tif 000027
【図２６】
2004018004.tif 000028
【図２７】
2004018004.tif 000029
【図２８】
2004018004.tif 000030
【図２９】
2004018004.tif 000031
【図３０】
2004018004.tif 000032
【図３１】
2004018004.tif 000033
【図３２】
2004018004.tif 000034
【図３３】
2004018004.tif 000035
【図３４】
2004018004.tif 000036